Podtech/llm-jp-corpus-v4-ja_patent huggingface dataset:
(57)【要約】      （修正有）【課題】カメラ等を安定して持てる保持具を提供する。【解決手段】圧力を加えると変形しやすく、外力を取り去っても歪が残り変形したまま硬くなる、粘土１のような可塑性物質を、カメラのボディに粘着剤２、粘着テープ、接着剤、又は磁石で貼り付ける。可塑性物質を、使用状態で指を当て強く押さえると、指を離しても各人独自の歪が残り変形してそのまま硬くなる。以降は安定した持ち方のできる自分専用のカメラとして使用できる。【選択図】図１
2017097356.tif 000002
【特許請求の範囲】
【請求項１】
可塑性物質に接着剤、粘着剤若しくは粘着テープ又は磁石を取り付けた保持具。
【発明の詳細な説明】
【技術分野】
【０００１】本発明は、可塑性物質を使用したカメラ等の保持具に関するものである。
【背景技術】
【０００２】従来、カメラ等を安定して保持できる後付けの保持具はなかった。
【発明の概要】
【発明が解決しようとする課題】
【０００３】各人持ち方に癖があるのに同じ機種であれば同じ形状である。誰でも安定した持ち方が出来る後付けの保持具が必要であった。
【課題を解決するための手段】
【０００４】圧力を加えると変形しやすくその外力を取り去っても歪が残り変形したまま硬くなる、例えば粘土のような可塑性物質をカメラのボディに貼り付ける。
【発明の効果】
【０００５】その可塑性物質を、各人が使用する状態で指を当て強く押さえる。すると指を離しても各人独自の歪が残り変形してそのまま硬くなる。以降は安定した持ち方のできる自分専用のカメラとして使用できる。
【発明を実施するための最良の形態】
【０００６】以下、本発明の実施の形態について説明する。
図１に示すように、粘土１に粘着剤２を取り付けた物を保持具としてカメラの任意の位置に貼り付ける。【０００７】可塑性物質にはいろいろな種類があるが、例えば空気に触れると時間の経過とともに硬くなる可塑性物質を使用する場合は、最初に強く握って変形させるまではシール等を被せて空気を遮断させておかなければならない。又、熱を加えるとやわらかくなる可塑性物質の場合は、一旦温めてから強く握って変形させ、冷めて硬くなってから使用しなければならない。なお、完全に硬くならないで、少し可塑性が残ったり、少し弾力性が残ったりするような材質でも構わない。
そのような材質のほうが使い易い場合もある。
【実施例１】
【０００８】粘着剤２の代わりに粘着テープ若しくは接着剤又は磁石でも構わない。
【実施例２】
【０００９】可塑性物質は土の粘土以外にも紙粘土、プラスチック粘土その他、又は粘土と同じ性質を持ったガラスその他がある。
【実施例３】
【００１０】用途はカメラ以外にも携帯電話、ノート型パソコン等がありこの可塑性物質を薄く細長い形状にするとボールペン等の筆記具又は彫刻等の柄に巻きつけても使用出来る。
【図面の簡単な説明】
【００１１】
【図１】本発明の正面図。
【符号の説明】
【００１２】  １  粘土
２  粘着剤
【図１】
2017097356.tif 000003
(57)【要約】      （修正有）【課題】コインを掴むとき、弾性体に抗してコインを押すことにより指先を傷めること、がないコイントレーを提供する。【解決手段】底面上に、コインより断面が小さく、且つ、お互いの距離がコインの直径より小さい凸部または隆起を設けたことによりコインの端が浮いているためコインを掴むときの指先の労力が少なくなったことを特徴とするコイントレー。【選択図】図１
2017097821.tif 000002
【特許請求の範囲】
【請求項１】
底面より  コインより断面が小さく  且つ  お互いの距離がコインの直径より小さい凸部または隆起を設けたことを特徴とするコイントレー。
【請求項２】
凸部または隆起に連続性を持たせたことを特徴とする請求項１のコイントレー。
【発明の詳細な説明】
【技術分野】
【０００１】本発明は店の会計などで日常使用されているコイントレーに関するものである。
【背景技術】
【０００２】  従来のコイントレーでは、トレーの底面からの細かい多くの突起の弾力性を利用して、コインの端を強く押して浮いた他方の端からコインを掴み取っている。
【先行技術文献】
【０００３】
【特許文献】
【特許文献】特開２００１−０２３００３
【発明の概要】
【発明が解決しようとする課題】
【０００４】  コインを掴むとき弾性体に抗してコインを押すため  指先を傷めることがある。  本発明は以上の問題を解決しようとするものである。
【課題を解決するための手段】
【０００５】  底面より  コインより断面が小さく  且つ  お互いの距離がコインの直径より小さい凸部または隆起を設ける。以上を特徴とするコイントレーである。
【発明の効果】
【０００６】  コインの端が浮いているためコインの掴むときの指先の労力が少なくなった。また  弾性体を使用しないためコイントレーを樹脂や材木等で一塊として作成できる。また洗浄し易く乾燥し易く清潔が保ちやすい。
【図面の簡単な説明】
【０００７】
【図１】本発明の斜視図
【図２】［図１］の上面図
【図３】本発明の上面図の１例
【図４】［図２］のコインを置いた部位の本発明の側面断面図
【図５】本発明の１例の斜視図
【発明を実施するための形態】
【０００８】  コイントレーの底面の大きさは１５ｘ１０ｃｍが多い。
［実施例１］［図１］は高さ数ｍｍ  底面の直径が１０ｍｍの断面が円の凸部を２０ｍｍ間隔で配置してある。［図２］は［図１］の上面図（平面図）に直径２０ｍｍの硬貨（日本硬貨で１円硬貨）を３枚置いてある。［図４］では［図２］の円状凸部にコインが乗った部位のの側面断面図である。コインの端が底面に落ちたときは反対側の端が浮き  コインが凸部にまたがった時は中央が浮き  凸部に中心が乗った時はコインの周囲の端が浮く。よって  浮いた隙間を利用して指で掴むことができる。
［実施例２］［図３］は［実施例１］の凸部の位置に１０ｘ１０ｍｍの正方形より少し大きい凸部を配置してある。凸部の間隔が１０ｍｍ未満になるため直径２０ｍｍのコインは底面に落下せずコインは凸部上に常に浮くこととなる。［図３］にはコインが４枚置いてある。
［実施例３］［図５］は凸部に連続性をもたせた１例である。
【符号の説明】
【０００９】    １  本体
２  凸部
３  底面
４  コイン
【図１】
2017097821.tif 000003
【図２】
2017097821.tif 000004
【図３】
2017097821.tif 000005
【図４】
2017097821.tif 000006
【図５】
2017097821.tif 000007
(57)【要約】【課題】本願は、獣が農作物を食い荒らす被害を食い止めることを目的とする。【解決手段】上記目的を達成するためには、群れを成す獣の１〜２匹位に電波を受信する構造の受信機を取り付ける。次に作物を育成する耕作地に電波を送信する構造の送信器を固定または回転できる構造を設置する。次に耕作地に受信機に送電されている電波がキャッチされると、耕作地に設置されている警報機がボスの獣声で緊急避難指令の奇声が発生されるので、耕作地に近づいた獣はパニック状態となり我先と山へ逃げ去るから農作物の被害は全くない。【選択図】図１
2017195866.tif 000002
【特許請求の範囲】
【請求項１】
本願は、農作物を食い荒らす獣に電波を受信できる構造の受信機を取り付ける。次に耕作地に固定型又はゆっくりと回転できる構造で電波を送信する発信器を設置する。次に耕作地に獣が近づくと受信機に、耕作地に発信器から発信された電波をキャッチするので、耕作地に設置されている警報装置からボスの獣語で緊急退去命令の奇声が警報されるので、獣は耕作地に侵入するどころかパニック状態となり、我先と一目散に山へ逃げ去るから農作物の被害は全くない。
【発明の詳細な説明】
【技術分野】
【０００１】本発明は、集団で群れを成す獣数匹に受信機を取りつける、次に耕作地から発信器を長いポール等の先端に発信機を取り付け発信機はポール上に固定またはゆっくりと回転できる構造とする、従って獣はどのような角度から耕作地周辺に近づいても受信機が瞬時にキャッチする。次に耕作地のポールには受信すると作動する警報装置が設置されており、警報装置には獣のボスが獣語で緊急撤退指令の奇声を発生する録音、又は獣を肉食とするライオン、トラ  、狼、等々等を獣語で警報装置に録音させておく、従って電波が受信されると緊急退去指令を獣語の奇声が警報されるので、獣の群れは統制ができなくパニック状態となり農作物を食い荒らすどころか我先と山へ逃げていく。
【背景技術】
【０００２】該当なし
【先行技術文献】
【０００３】該当なし
【発明の概要】
【０００４】農作物を食い荒らす獣に、電波を受信する装置の受信機を取り付ける、次に農作物の耕作者は電波を送信する装置の発信器で送信すれば、獣に取り付けられている受信機は電波を受信するので、耕作地に設置されている、獣語を発生する警報機が獣に危険を報知する、よって農作物を育成している耕作地に獣は近づくことなく一目散に山へ逃げていく。
【問題を解決するための手段】
【０００５】集団で群れを成し農作物に被害を与える獣に電波を受信する構造の受信機を取り付ける。次に耕作地に設置されている電波を発信する発信器は固定又はゆっくりと回転しながら常時電波を発信しているから、獣が耕作地の周辺に近づきことにより受信機が送信機から送信されている電波をキャッチするので耕作地に設置されている警報機の獣語で奇声を発生する緊急退去命令が警報され獣はパニック状態となり耕作地に入ることなく我先と一目散に逃げていく。
【０００６】上記解決手段により今までの獣による農作物の被害は解消する。
【発明の効果】
【０００７】山間部における獣による農作物の被害は年々増加しその被害は甚大である。この防護対策として農作物を網で囲ったり、作物を電気柵囲ったりしているが、網はかじられて穴が開き。電気柵は獣が電気柵に向かって精いっぱいの速度で助走し電気柵の空間を瞬時にくぐり抜けたり、あるいはわずかの空間を見つけ農作物を体の小さい子供の獣に運ばせたりして手の打ちようがないのが実態である。その他に獣に発信機を取り付けて鉄砲隊が受信機で獣の集団をキャッチし、獣が農作物近くに進出するのを待ち伏せて鉄砲で射殺するという手法などで対応している。しかし耕作者は獣が進出したことを発見し鉄砲隊に電話連絡しても、鉄砲隊も瞬時には対応することは難しく、まして時間の停滞はまぬかれない、鉄砲隊が到着しても獣は農作物を食い荒らして帰った後の、も抜けの殻であった等ということは日常茶番時である。このように貴重な手間や経費をかけないで、その効果を確実に獣を退散させるには、獣には発信器ではなく電波を受信する受信機器を取り付ければよいのであって、耕作地に電波を発信する発信機をポール上に固定又はゆっくりと回転するようにすれば、常時電波は発信されているから、電波が獣に設置されている受信機がキャッチすると、耕作地に設置されている警報装置は獣語で緊急退去指令の奇声が警報されるから獣はパニック状態となり我先と山へ逃げ去るので農作物の被害は全くない。
【図面の簡単な説明】
【０００８】
【図１】図１は、本願構造の全体を示した斜視図、
【符号の説明】
【０００９】１は獣、２は受信機、３は発信機、４は警報装置、５は獣声の緊急避難命令音
６．は電波、７．は作物耕作地、８は電源
【図１】
2017195866.tif 000003
(57)【要約】【課題】カラフルな色彩を使い、ゲームやファッションをつくる。【解決手段】明るめなだけやとかの色彩を使い、カラフルなゲームやファッションをつくる。【選択図】図１
2017195753.tif 000002
【特許請求の範囲】
【請求項１】
花びらカラフル。
【請求項２】
迷彩カラフル。
【請求項３】
パーツ（以外）カラフル。
【請求項４】
ＤＯＴカラフル。
【請求項５】
流動性カラフル。
【請求項６】
明るめとかカラフル。
【請求項７】
出来るだけ派手な印象カラフル。
【発明の詳細な説明】
【技術分野】
【０００１】本発明は、カラフルなゲームやファッションに関する。
【背景技術】
【０００２】近年、ゲームやファッションがカラフルに成って来た。【０００３】図のＡの電子を動かし、ＵＦＯ、空飛ぶ車、空中を移動出来る物質をつくる。
【発明の開示】
【発明が解決しようとする課題】
【０００４】従来の色彩では、カラフルなだけでは無かった。【０００５】本発明は、明るめな色彩を、カラフルにする。
【課題を解決するための手段】
【０００６】カラフルな色や形をつくる。ランダム性の実施。
【発明を実施するための最良の形態】
【０００７】カラフルなだけやとかに色彩を設計し、カラフルなゲームやファッション等をつくる。
【図面の簡単な説明】
【０００８】
【図１】カラフルを実施するための形や色彩について。
【符号の説明】
【０００９】  Ａ  と或る色のカラフル。
Ｂ  と或る色のカラフル。
Ｃ  と或る色のカラフル。
Ｄ  と或る色のカラフル。
Ｅ  と或る色のカラフル。
Ｆ  と或る色のカラフル。
【図１】
2017195753.tif 000003
(57)【要約】【課題】本発明は、脚部が折り返され2重となった単位部材の新たな使用方法を提案するものである。【解決手段】本発明は、盤体と盤体に開口するする脚部を有し、且つ当該、脚部の底部に設けた孔部からさらに盤体に向かう脚部を有する２重脚部を有するテーブル状単位部材を脚部を対向させまたは盤体を対向させたときに対向する単位部材間に発生する大小の凹部間をその凹部に挿入可能な大きさの柱部材で接続することで形成された貯留空間を利用する２重脚部を有するテーブル状単位部材を用いた雨水等の貯留浸透施設である。【選択図】図１
2017210848.tif 000002
【特許請求の範囲】
【請求項１】
盤体と盤体に開口するする脚部を有し、且つ当該、脚部の底部に設けた孔部からさらに盤体に向かって折り返された脚部を有する２重脚部を有するテーブル状単位部材を脚部を対向させまたは盤体を対向させたときに対向する単位部材間に発生する大小の凹部間をその凹部に挿入可能な大きさの柱部材で接続することで形成された貯留空間を利用する２重脚部を有するテーブル状単位部材を用いた雨水等の貯留浸透施設。
【発明の詳細な説明】
【技術分野】
【０００１】
本発明は、雨水等の貯留浸透施設の技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開平10-252108、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。
上記単位部材のうち盤体と脚部からなるテーブル状部材であって特開平11-222886で開示した脚部が折り返され2重となった単位部材の新たな使用方法を提案するものである。
【０００３】
【特許文献１】特開平10-252108
【特許文献２】特開平11-222886
【発明の開示】
【発明が解決しようとする課題】
【０００４】
本発明は、特開平11-222886で開示した脚部が折り返され2重となった単位部材の新たな使用方法を提案するものである。
【課題を解決するための手段】
【０００５】
本第発明は、盤体と盤体に開口するする脚部を有し、且つ当該、脚部の底部に設けた孔部からさらに盤体に向かって折り返された脚部を有する２重脚部を有するテーブル状単位部材を脚部を対向させまたは盤体を対向させたときに対向する単位部材間に発生する大小の凹部間をその凹部に挿入可能な大きさの柱部材で接続することで形成された貯留空間を利用する２重脚部を有するテーブル状単位部材を用いた雨水等の貯留浸透施設である。
【発明の効果】
【０００６】
本発明は、盤体と盤体に開口するする脚部を有し、且つ当該、脚部の底部に設けた孔部からさらに盤体に向かう脚部を有する２重脚部を有するテーブル状単位部材を脚部を対向させまたは盤体を対向させたときに対向する単位部材間に発生する大小の凹部間をその凹部に挿入可能な大きさの柱部材で接続することで形成された貯留空間を利用するため、要求される鉛直強度に応じて上記凹部間に挿入する部材の大小を換える事ができる。
【図面の簡単な説明】
【０００７】
【図１】テーブル状部材の形状を示す概念図である。
【図２】テーブル状部材の使用例を示す概念図である。
【図３】テーブル状部材の他の使用例を示す概念図である。
【図４】貯留空間の概念図を示す。
【図５】雨水等の貯留浸透施設の概念図である。
【発明を実施するための最良の形態】
【０００８】
以下、本発明を図によって、より詳細に説明する。
図１は、本発明の貯留浸透施設を構成する２重脚部を有するテーブル状単位部材の概念図である。
本テーブル状部材は図に示すように盤体と盤体に開口する脚部を有し、当該脚部がその底部から盤体に向かって折り返され2重構造となっている。そのため図1に示すように、盤体の裏表で口径の異なる孔部が発生する。
図１ａは、大きな口径を有する孔部を示しており、図１ｂは、小さな口径を有する孔部を示している。すなわち、ａ＞ｂとなる。
【０００９】
図2ａは上記テーブル状部材をその脚部を対向させた状態を示している。
この場合対向するテーブル状部材間の孔部は図3に比較して小さい。
図2ｂは、テーブル状部材間の孔部に柱部材を挿入した状態を示している。
図3ａは上記テーブル状部材をその盤体を対向させた状態を示している。
この場合対向するテーブル状部材間の孔部は図２に比較して大きい。
図３ｂは、テーブル状部材間の孔部に柱部材を挿入した状態を示している。
【００１０】
図４ａは、図2に示した柱部材の挿入方法に基ずき柱を並べ、その周囲を壁材で上部を天板で囲った貯留空間の断面概念図である。
図４ｂは、図3に示した柱部材の挿入方法に基ずき柱を並べ、その周囲を壁材で上部を天板で囲った貯留空間の断面概念図である。この場合柱の最上部には単位部材を配置している。
柱部材は金属製のパイプ、棒あるいは塩化ビニール管、コンクリートが使用できる。柱部材は図２に示すように対向するテーブル状部材の向きに応じて生ずる孔部に従い径の異なる柱部材を挿入することで形成できる。
【００１１】
図５は本貯留空間を遮水シート及び保護シートで覆った貯留槽にドロだめ枡、オリフィス枡等の付帯設備を設けた雨水流出抑制施設として利用する例を示している。
【産業上の利用可能性】
【００１２】
雨水等の流出抑制施設として利用可能である。
【符号の説明】
【００１３】
１  ２重脚部を有するテーブル状単位部材
２  柱部材
３  壁材
４  天板
５  シート
【図１】
2017210848.tif 000003
【図２】
2017210848.tif 000004
【図３】
2017210848.tif 000005
【図４】
2017210848.tif 000006
【図５】
2017210848.tif 000007
(57)【要約】      （修正有）【課題】遮光性野菜の商品価値、収穫量、労働を軽減化した栽培方法を提供する。【解決手段】遮光性栽培野菜の香りのあるものはより強く、より柔らかく、より大きく、高品質に生産するための手段として、大鋸屑や電気カンナ屑を用いて野菜などの保護材として利用した。【選択図】なし【特許請求の範囲】
【請求項１】
大鋸屑を遮光材保湿材保温材として、遮光性植物の生産を目的とした。木屑による埋没栽培。
【請求項２】
電気カンナ屑を遮光材保湿材保温性材として、遮光性植物の生産を目的とした。木屑による埋没栽培。
【発明の詳細な説明】
【技術分野】
【０００１】
本発明は山ウドやみょうがの栽培方法に関する物である。
【０００２】
従来山ウドを白ウドとして栽培するには、ウドの株を掘り起し地下室又は暗室に移動させ生産されていた。
また、みょうがの子の生産も暗室又は日陰にて生産されていた。
【０００３】
しかし、ウドでは暗室とは言え空気にさらされているために、葉枝が成長してしまい幹の成長するための養分が奪われていた。
しかも生産をするためには地中から株を掘り起さなければならずそれがとてつもなく重労働となっていた。
みょうがの生産も同様で赤く大きいみょうがの子を生産するには、みょうが竹を日光に充てなければならず商品としてのみょうがの子には、湿度を保ちつつ光を避けしかも温度も適温に維持しなければ、すぐに花が咲き腐敗してしまった。
【発明の概要】
【発明が解決しようとする課題】
【０００４】
解決しようとする問題点は、通常白ウドの栽培は、ウドの株を堀起こして地下の穴倉に移動させ白色化させていた。その為に重労働は避けられず、また生産されていたウドの香りは山ウドに比べて遥かに劣っていた。しかも、ウドそのものも空気中で栽培されるために、上部は葉枝が同様に成長してしまい商品価値を落としてしまっていた。山ウドを栽培したとしても緑化が避けられずアクの強い商品となり山菜の域を超えることが出来なかった。また、みょうがの子やみょうが竹も光を当てれば固くえぐみの強い商品となり、商品価値がでない。
【課題を解決するための手段】
【０００５】
本発明は、地植えのウドを白ウドとして生産することを目的として考案されたものである。白ウドを生産するには覆いをして暗室を作れば良い様に思われるが、内部に熱がこもりウドの生産には好ましくない。当然土をかぶせると生産はできるが、土中のウドは非常にデリケートで簡単に傷や折損してしまい、出荷そのものがなりたたない。そこで腐葉土を使用してみたが、今度はわずかな異物にウドの芽が遮られるとそこで簡単に曲がってしまって、商品価値がでなかった。そこで針葉樹の大鋸屑を使用してみたところ、ようやく市場に出荷しても引けを取らない商品となった。また、みょうがに対しては大鋸屑よりも電気カンナの鉋屑のほうが良く苞の中に大鋸屑の侵入を防げる。
【発明の効果】
【０００６】
針葉樹の大鋸屑を使うことで針葉樹の持つ揮発性の油性分がウドの香りの発散を妨げるため、収穫してからの劣化時間が長く
外皮が一部赤く変色していても皮をむけばウドの香りが強く維持されている。また、あまり長くすると大鋸屑の重みで曲がってしまうものの太さは長さに比例して太くなり、しかもウドの先端まで幹として成長するため利用価値が多くなる。香りは長時間維持でき、地植えそのままであるため太いウドの収穫期間が長い。また、みょうがの子やみょうが竹では、カンナ屑の持つ保湿性、保温性、遮光性が赤紫色の芽を成長させ柔らかく大きく清潔な品物が生産できる。
この方法は、まだ他の陰性植物にも適用できる可能性があり、例えばアスパラガスのような物や黄ニラ、などにも利用できる可能性がある。しかも、汚れがあっても容易におとせる。しかも、露地物としては収穫時期が長く、ウドのような地中で栽培する物では大鋸屑の高さにて商品の長さを設定でき商品コントロールが容易である。
【実施例】
【０００７】
休耕地、休田地に栽培が可能で、しかもみょうがの様な陰性植物でも栽培が出来る。ウドでは大鋸屑を突き破るように出るために収穫が容易である。
(57)【要約】      （修正有）【課題】呈味力を向上させた発酵魚節の製造方法の提供【解決手段】魚肉に塩分を加え、発酵させ、発酵後、発酵した前記魚肉を成型し、成型後煮熟し、煮熟後燻製乾燥して、発酵魚節を製造する発酵魚節の製造方法。魚肉に塩分を加え、発酵させ、発酵後、発酵した前記魚肉と発酵していない魚肉を混練し、混練後成型し、成型後煮熟し、煮熟後燻製乾燥して、発酵魚節を製造する発酵魚節の製造方法。【選択図】なし【特許請求の範囲】
【請求項１】
魚肉に塩分を加え、発酵させ、発酵後、発酵した前記魚肉を成型し、成型後煮熟し、煮熟後燻製乾燥して、発酵魚節を製造する
ことを特徴とする発酵魚節の製造方法。
【請求項２】
魚肉に塩分を加え、発酵させ、発酵後、発酵した前記魚肉と発酵していない魚肉を混練し、混練後成型し、成型後煮熟し、煮熟後燻製乾燥して、発酵魚節を製造する
ことを特徴とする発酵魚節の製造方法。
【請求項３】
魚肉に塩分を加え、発酵させは、魚肉を擂潰し塩分を加え、発酵させである
ことを特徴とする請求項１又は請求項２記載の発酵魚節の製造方法。
【発明の詳細な説明】
【技術分野】
【０００１】
本発明は、発酵魚節の製造方法に係り、特に、呈味力を向上させた発酵魚節の製造方法に関する。
【背景技術】
【０００２】
従来の魚節の製造にあっては、冷凍された魚を解凍し、頭・内臓を除去し、煮熟または蒸煮、焙乾して乾燥して製造している。(例えば、特許文献１参照)。
【先行技術文献】
【特許文献】
【０００３】
【特許文献１】実開平７−３００８２号公報
【発明の概要】
【発明が解決しようとする課題】
【０００４】
本発明は、魚を発酵させるという着想の元、発酵した魚を原料として発酵魚節を製造する発酵魚節の製造方法を提供することを目的とする。
【課題を解決するための手段】
【０００５】
請求項１記載の発酵魚節の製造方法は、魚肉に塩分を加え、発酵させ、発酵後、発酵した前記魚肉を成型し、成型後煮熟し、煮熟後燻製乾燥して、発酵魚節を製造するものである。
【０００６】
また、請求項２記載の発酵魚節の製造方法は、魚肉に塩分を加え、発酵させ、発酵後、発酵した前記魚肉と発酵していない魚肉を混練し、混練後成型し、成型後煮熟し、煮熟後燻製乾燥して、発酵魚節を製造するものである。
【０００７】
また、請求項３記載の発酵魚節の製造方法は、請求項１又は請求項２記載の発酵魚節の製造方法において、魚肉に塩分を加え、発酵させは、魚肉を擂潰し塩分を加え、発酵させである。
【発明の効果】
【０００８】
請求項１記載の発酵魚節の製造方法によれば、魚肉の発酵により、旨みの増した魚節を製造することができる。
即ち、従来、魚を発酵し、魚醤、鰹塩辛等の製品は、発酵により独特の強い臭気を伴うため、使用方法が限定されていた。
本願発明は、発酵魚肉を燻製乾燥することにより、燻製のマスキング技術によりその独特の臭気を軽減すると共に、発酵により、従来の魚節より強い呈味力を得ることができた。
【０００９】
また、請求項２記載の発酵魚節の製造方法によれば、魚肉の発酵により、旨みの増した魚節を製造することができる。
即ち、従来、魚を発酵し、魚醤、鰹塩辛等の製品は、発酵により独特の強い臭気を伴うため、使用方法が限定されていた。
本願発明は、発酵魚肉を燻製乾燥することにより、燻製のマスキング技術によりその独特の臭気を軽減すると共に、発酵により、従来の魚節より強い呈味力を得ることができた。
【００１０】
また、請求項３記載の発酵魚節の製造方法によれば、上述した請求項１又は請求項２記載の発明の効果に加え、魚肉を擂潰し塩分を加え、発酵させたため、擂潰した分、発酵をより促進させることができる。
【発明を実施するための形態】
【００１１】
本発明の一実施例の発酵魚節の製造方法を説明する。
発酵魚節の製造方法は、魚肉に塩分を加え、発酵させ、発酵後、成型し、成型後煮熟
し、煮熟後燻製乾燥して、発酵魚節を製造するものである。なお、「魚肉に塩分を加え、発酵させ」は、望ましくは、「魚肉を擂潰し塩分を加え、発酵させ」である。
【００１２】
先ず、発酵魚節は、以下のようにして製造する。
魚肉（例えば、鰹）は、魚そのものでも良いが、望ましくは、魚肉（例えば、鰹）を身取り機にかけて、皮を取り除き魚肉を採取する。
【００１３】
採取後、魚肉に塩分、例えば、魚肉１００重量部に対して、塩２０重量部〜４０重量部、より望ましくは、魚肉１００重量部に対して、塩３０重量部になるように、塩分を加え、擂潰機にかけて擂潰する。
【００１４】
擂潰後、擂潰した魚肉を樽に詰めて保管する。保管中、適度に攪拌し、数ヶ月間発酵させる。
発酵期間は、夏場常温で３ヶ月、冬場常温で６ヶ月で、発酵酵素により、魚肉蛋白をアミノ酸化させる。
【００１５】
発酵後、発酵した魚肉を成型機により、所定形状に成型する。成型後、通常の「かつお節の製造」と同様に、ボイル槽で１００℃の熱水で、例えば、３０分煮熟し、煮熟後、セイロにとり、燻製乾燥して、水分２０重量％前後（望ましくは、水分２０重量％以下）の発酵魚節を製造するものである。
【００１６】
上記製造方法によれば、魚肉の発酵により、旨みの増した魚節を製造することができる。
即ち、従来、魚を発酵し、魚醤、鰹塩辛等の製品は、発酵により独特の強い臭気を伴うため、使用方法が限定されていた。
本願発明は、発酵魚肉を燻製乾燥することにより、燻製のマスキング技術によりその独特の臭気を軽減すると共に、発酵により、従来の魚節より強い呈味力を得ることができた。
【００１７】
なお、上述の実施例では、発酵した魚肉１００重量％としたが、発酵した魚肉を５重量％〜１００重量％に対し、発酵していない魚肉を９５重量％〜０重量％としても良い。
つまり、魚肉に塩分を加え、発酵させ、発酵後、発酵した前記魚肉と発酵していない魚肉を混練（よく混ぜ、練り合わせること）し、混練後成型し、成型後煮熟し、煮熟後燻製乾燥して、発酵魚節を製造するようにしても良い。
【００１８】
また、魚肉の例として、冷凍かつお、冷凍まぐろ等を切断する際、生じる残差から内臓を除去したものも適用でき、また、魚肉の例として、鰹を挙げたが、本発明にあっては、これに限らず、魚節の原料となる「まぐろ」、「あじ」、「さば」、「いわし」等にも同様に適用できるものである。
(57)【要約】      （修正有）【課題】補聴器が小型化してハウリング発生の機会が増大し、補聴器におけるハウリングの発生は致命的欠点であった。【解決手段】２ヶの記憶装置３、４を交互に使用することによってハウリングを防止する。【選択図】図１
2017169178.tif 000002
【特許請求の範囲】
【請求項１】
補聴器において、信号記憶装置を２ヶ持ち、マイクの信号を一方の記憶装置に記録している間他方の記憶装置の出力をイヤホンから放出させる。この記憶装置の切り替えを自動的に行ってマイクイヤホン間のハウリングを防止することを特徴とする補聴器の構成
【発明の詳細な説明】
【技術分野】
【０００１】この発明は補聴器のハウリング防止を目的にする。
【背景技術】
【０００２】補聴器はマイクからの信号を増幅してイヤホンから放出する音響増幅器である。近年非常に小型化されてマイクとイヤホンの間隔が接近して干渉が大きくなりハウリングが発生しやすくなっている。
【発明の開示】
【発明が解決しようとする課題】マイクからの信号を直接増幅してイヤホンに与えるとマイクイヤホンの相対位置、距離によってハウリングが発生する。【０００３】
【課題を解決するための手段】
【０００４】マイクからの信号を直接イヤホンに与えなければハウリングは発生しない。従来マイクよりの信号を記憶装置に記録して、一旦マイクを切断して記録情報を再生してイヤホンから放出する方式のハウリング防止構造は存在する。【０００５】しかしこの方式はマイクを切断している間音が途切れているからきわめて効率の悪い補聴器になる。そこで記憶装置を２組使用して交互にこれを使用する新たなハウリング防止方式を構成した。
【発明の効果】
【０００６】図１はその構成である。図においてマイク１はスイッチ２ａ  を経て記憶装置３に接続されて入力信号を記録する。同一の記憶装置４はスイッチ２ｂによってイヤホン５に接続され記録信号を放出する。スイッチ２ａ、２ｂは相補に作動するようにする。一定周期Ｔでこのスイッチ２ａ、２ｂを切り替える。図２はその作動波形である。記憶装置３の出力信号と記憶装置４の出力信号は図２の上下に示す。これは時間的に連続しているからスイッチ２ｂによってイヤホン５に出てくる信号は連続した信号になる。
【発明を実施するための最良の形態】
【０００７】記憶装置３，４はアナログメモリーやデジタルメモリーなど選択できる。スイッチ切り替えによって生じる不連続や雑音は公知の窓処理技術を使うことで軽減できる。イヤホンよりの出力信号は常時Ｔだけ遅れた信号になる。したがってＴはあまり大きくは出来ず最大０．１秒程度となる。
【図面の簡単な説明】
【０００８】
【図１】本発明の構成
【図２】記憶装置の出力波形
【符号の説明】
【０００９】１  マイク  ２ａ、２ｂ  スイッチ  ３，記憶装置
４  記憶装置２  ５  イヤホン
【図１】
2017169178.tif 000003
【図２】
2017169178.tif 000004
(57)【要約】      （修正有）【課題】納豆を食べる時に使用する食器、つぶし具の食器セット、納豆を入れつぶし具でつぶすことで、粒が平らになり、粒がきにならず又つぶすことで、ねばりが生じ、より食べやすくなる、よりうま味の納豆になり、食べることができる納豆食器セットの提供。【解決手段】納豆を入れる器１、納豆をつぶす金具を有し、納豆を入れ、納豆を上から押し下げることで納豆粒を、大豆粒の粒状のおおきさから、平状につぶすことができる器１とつぶし金具を備える、納豆食器セット。器１のなかに底辺に丸み２をもうけ、底に突起３をもうけ、つぶし具はＬ字形で抻ち手下部のつぶす面は、フオーク状の細棒を数本もうけ、すきまを設けるつぶし金具。【選択図】図１
2017127299.tif 000002
【特許請求の範囲】
【請求項１】
納豆を入れる器、納豆をつぶす金具を有し、納豆を入れ、納豆を上から押し下げることで納豆粒を、大豆粒のおおきさから、平状につぶすことができる器とつぶし金具。
【請求項２】
器の底の内周は丸みをおび、底は平、又は底に突起をもうける器。
【請求項３】
つぶし金具はＬ字形で棒状の下がＬ形に曲がりおしつぶす底辺となる、底辺は、フオーク状のように、数本細い金属棒がのび、隙間があるつぶし金具。
【発明の詳細な説明】
【技術分野】
【０００１】  本発明は、納豆の粒を押しつぶし、平にすることで粒がごはんの粒となじみ、気にならず、よくねばるようになる食器に関するものである。
【背景技術】
【０００２】  従来、納豆は、器に入れて、かき回して、ごはんにまぜて食べている。
このとき、納豆粒とごはん粒の大きさが異り、口の中で納豆粒を噛んだり、舌でつぶしたりしながら、頃合いを見て食べている。又よく納豆をかき回すことで、うまみをだしている。
【発明の開示】
【発明が解決しようとする課題】
【０００３】  納豆を食べる時、次のような問題点があった。
納豆は、よくかき回してごはんにまぜて食べる。
納豆は数十回かきまわし、ねばり、糸ひきを出し、うまみをだして、口の中では納豆粒をかんで、舌でつぶしてころあいをみて食べている。
【課題を解決するための手段】
【０００４】  納豆を入れる専用器を設ける。納豆をつぶす専用つぶし具を設ける。
本発明は以上のように専用になされた納豆専用食器セットである。
【発明の効果】
【０００５】  本発明を使用し食べるときは、納豆つぶが口の中で気にならず、噛むことなく、舌でつぶすことなく、のむ頃合いなどを気にせず食味することができる、又つぶしてあることで、ねばりが強くごはんによくまざりねばりがあることで納豆のうまさが生じて、納豆のうまさをたのしむことができる。
【発明を実施するための最良の形態】
【０００６】  以下、本発明の形態を説明する。
（イ）陶器、金属などの専用器（１）に、底内側丸み（２）、底に突起（３）を設ける
（ロ）専用つぶし金具（４）に、上部、持ち手（７）、下部に平状のフォーク状細棒（５）、棒状すきま（６）、丸み（８）を設ける
本発明は以上の構成によりなる。
【図面の簡単な説明】
【０００７】
【図１】本発明器の斜横視図
【図２】本発明つぶし具の横視図
【図３】本発明つぶし具の上視図
【符号の説明】
【０００８】（１）専用器、（２）底内側丸み、（３）突起、（４）専用つぶし金具、（５）、フオーク状細棒、（６）棒状すきま、（７）持ち手、（８）丸み
【図１】
2017127299.tif 000003
【図２】
2017127299.tif 000004
【図３】
2017127299.tif 000005
(57)【要約】【課題】  極薄ポリに等間隔に極細長の穴をあけ、穴の周りにくぼみを付け、くぼみに苗を移植し、くぼみに散水の水が入り、土に染みるため、今までよりも散水する時間が少なくて済み、水の節約につながり、草も生えず活着が良く生育することができることを提供する。【解決手段】    極薄ポリ本体（１）に等間隔に極細長の穴（３）を開け、穴（３）の周りにくぼみ（２）を設けことを特徴とするくぼみ付き防草マルチ。【選択図】図１
2017127296.tif 000002
【特許請求の範囲】
【請求項１】
極薄ポリ本体（１）に等間隔に極細長の穴（３）を開け、穴（３）の周りにくぼみ（２）を設けことを特徴とするくぼみ付き防草マルチ。
【発明の詳細な説明】
【技術分野】
【０００１】  本発明は、くぼみ付き防草マルチに関するものである。
【背景技術】
【０００２】  従来のマルチは、等間隔に円形の穴が開いているものであった。
防草性能の向上と低コストの実現とを図れるようにした農林用土壌カバーシートを提案されていた（特許文献１参照）。
防草効果に優れるとともに十分な透水性と通気性を備え、かつ、強度が高く作業性にも優れ、しかも、使用後は自然に分解されるため廃棄処理が容易で環境汚染等を生じない防草シートが提案されていた（特許文献２参照）。
【先行技術文献】
【特許文献】
【０００３】
【特許文献１】  特開２００３−２８９７３０号公報
【特許文献２】  特開２００２−１２５４８４号公報
【発明の概要】
【発明が解決しようとする課題】
【０００４】  これには、次のような欠点があった。
従来のマルチは、円形の穴が大きいため、苗を移植した周りに草が生えてしまい、苗の育成が遅れることがあった。
草取りをすると苗を痛め、時間が掛かるので効率が悪かった。
また、散水したときに水が逃げてしまうので散水に時間が掛かった。
本発明は、これらの問題点を解決するためになされたものである。
【課題を解決するための手段】
【０００５】  極薄ポリ本体（１）に等間隔に極細長の穴（３）を開け、穴（３）の周りにくぼみ（２）を設ける。
本発明は以上の構成よりなる、くぼみ付き防草マルチである。
【発明の効果】
【０００６】  くぼみ付き防草マルチに苗を移植した時、穴が小さいため、土の露出が小さく草が出てこない。
また、散水したとき、くぼみ（３）に水が入り土に染み込むため、いままでよりも散水する時間が少なくて済む。
水の節約につながる。
したがって、枯れることなく活着が良く、草取りの手間もなく効率が良い。
【図面の簡単な説明】
【０００７】
【図１】  本発明の一部を拡大した説明図である
【図２】  （ａ）は、本発明の断面図である。（ｂ）は、要部の拡大断面図である
【図３】  本発明の使用状態を示した説明図である
【発明を実施するための形態】
【０００８】  以下、本発明を実施するための形態について説明する。
極薄ポリ本体（１）に等間隔に極細長の穴（３）を開け、穴（３）の周りにくぼみ（２）を設ける。
本発明は以上のような構成である。
これを使用するときは、耕地にくぼみ付き防草マルチを平に敷いて、くぼみに苗を移植する。
その際に、土を下に押しながら植えるとくぼみが沈むので散水の水が入りやすくなる。
【符号の説明】
【０００９】  １  極薄ポリ本体
２  極細長の穴
３  くぼみ
【図１】
2017127296.tif 000003
【図２】
2017127296.tif 000004
【図３】
2017127296.tif 000005
(57)【要約】【課題】いかに現在捨てられ海老の頭、殻、足等を衛生的に口当たりを良くするため微粉末するまで熱を出来るだけ熱を加えずに乾燥させるかが課題である【解決手段】エビの頭皮足など、天日干しにすると殺菌効果と乾燥変色も無く粉末に出来る。【特許請求の範囲】
【請求項１】
海老の頭や殻や足等を乾燥させ粉末にして調味料とする
【発明の詳細な説明】
【技術分野】
【０００１】本発明は海老の香りコクを強調するための調味料である
【背景技術】
【０００２】従来海老の料理をする時、皮や頭足を除いて料理をするのが通常であったそれは革が硬く食感が悪く口に残るため取り除くが通常であった
【先行技術文献】
【特許文献】
【０００３】
【発明の概要】
【発明解決しょうとする課題】
【０００４】従来海老を料理する場合硬い頭、皮、足を取り除いて中の身と尻尾だけを残し調理するのが一般であるが海老本来の美味しさは、頭の中の脳とか足が海老本来の香りコクがあり現状では殆ど捨てられている、またその頭や足の部分有る香りやコクを逃がさず口当たりのいい粉末にするのは面倒である
【課題を解決するための手段】
【０００５】本考案はその捨てられている頭や殻を熱を加えた時香りコクを出す為、頭皮足を乾燥させそれを微粉末することで海老の料理の際熱を加える前の下処理の調味料として使用するものである
【発明の効果】
【０００６】本考案の粉末状の粉を、エビの調理の際、海老の皮を取り除き直ぐに適度に塗しそれを料理の下準備とし熱を加えて調理すると従来得られないエビの美味しさコクが得られた。またいろいろなエビ料理の際この粉末を使用し熱を加えることでエビの美味しさをより一層増す出すことが出来る。
(57)【要約】      （修正有）【課題】手の届かぬ高所の果実類の収穫方法では、危険である上に労力を要し、非能率的であるので、高所に実る果実類を簡単に早く能率よく、しかも切り取った果実を傷付けることなく収穫出来る果実取り具を提供する。【解決手段】枝切り鋏６の刃１、２の下側に枠３の中心に刃１、２が果実１３を切り落とす時に果実１３の三倍位の下側に受枠３を設け、切り鋏６と４５度の角度で取り付ける、その枠３に筒状であって、しかも柔軟な素材で製作した誘導袋４をボタンで枠３に接続固定し、切り鋏６で切り落とした果実類１３を誘導袋４に導き、集積場所に集める方式とする。【選択図】図１
2017127298.tif 000002
【特許請求の範囲】
【請求項１】
市販されている伸縮自在７のを持った高枝切り鋏において、切り鋏の下部近傍に果実受枠３と支柱取付け金具８で形成された構造であり，該支柱取付け金具８を支柱７に取付けるとともに、枠３に着脱可能な長い筒状の誘導袋４を設けたことを特徴とする果実取り具。
【請求項２】
枠３を長楕円形状に形成したことを特徴とする請求項１に記載の果実取り具。
【請求項３】
誘導袋４の外側末端開放口より上部側に、ベルト通し１４を複数設けたことを特徴とする請求項１および請求項２に記載の果実取り具。
【発明の詳細な説明】
【技術分野】
【０００１】  この発明は、高所に実る果実を摘果するために、高枝切り鋏に取付ける果実取り具に関するものである。
【背景技術】
【０００２】従来から、高所になる果実を収穫する際は、梯子や脚立を利用して摘果したり、長尺の竹竿の先端にくさび形状の切り込みを設けた竿にて枝部を挟み込みねじ切ったり、高枝切り鋏の枝保持具で鋏み切り取るなど摘果方法が知られている。
しかしながら，梯子や脚立の利用は高所ゆえ危険が伴うことや、長尺の竹竿や高枝切り鋏の利用は、都度、摘果したものを手元に引き寄せるという面倒な非効率な作業であった。
【先行技術文献】
【０００３】
【特許文献１】  特開２００７−６８４２１
【特許文献２】  特開２００８−１１８４３
【発明の概要】
【発明が解決しようとする課題】
【０００４】従来の果実取り具には次のような欠点があった。
（イ）特許文献１は、回動機構等があり構造が複雑で、果実も規則正しくなっているものでなく、誘導筒の反対側に位置する果実の摘果が難しい。
（ロ）特許文献２は、市販の伸縮型高枝切り鋏の利用を考えているが、目的は同じであっても一人作業は困難であって二人作業となり非効率である。
【課題を解決するための手段】
【０００５】本発明は、これらの問題を解決し、容易に作業ができることや、果実に傷つけることなく収穫することと、所定の位置に集積させることを目的としている。【０００６】上記目的を達成するために、本発明の果実取り具は、高枝鋏２の刃のどちら側に果実６が切り落とされても、枠３に取り付けた柔軟性のある筒状の誘導袋４に落ち込み手元まで落ち集積させるものであって、切り鋏の支柱の倒れ角度を考慮した角度を枠用ステー３で有したものとなっている。【０００７】又、誘導袋は，通過する果実を傷つけないために、柔軟性のある素材を採用している、誘導袋の末端は開放にして果実を簡単に取ることが出来る、誘導袋は枝切り鋏の支柱を最長に伸ばした時の長さ以上で製作してある。誘導袋は自由にベルトによって腰、肩などにかけられ位置が調整できる。以上を特徴とする果実採り具である。
【発明の効果】
【０００８】上記したように本発明の果実採り具は、次のような効果を発揮する。
（イ）果実を収穫するのに、木登らなくてすむ為、危険がすくない。
（ロ）果実は、取り出し口に瞬時に到達するため、作業性がよく収穫し易い。
（ハ）収穫袋に余裕があり落下速度が緩和される事と誘導袋の柔軟性で果実の損傷が軽減される。
（ニ）誘導袋の取り出し口は支柱と一緒に持つため果実の飛び出しもなく調整も自由に出来る。
（ホ）柿だけに限らず、リンゴ、なし、栗、杏等の果実一般の収穫に使用できる。つまり、手の届かぬ高所に実る果実を取るには、支柱の先端に設けた切り鋏を手元で操作して枝から切り落とし、柔軟な誘導袋を通して手元まで落ちてくる、落とされた果実は誘導袋で緩衝され、傷を付けることなく収穫されることと、誘導袋の出口側を敵時に決めれば、果実をその場所に集積することができたり誘導袋の途中で紐などで閉口し、袋状にすることにより果実を誘導袋に一時留めてから地上で取り出すことも出来る。
【発明を実施するための形態】
【０００９】以下本発明の実施の形態について説明する。
通常市販されている高枝切り鋏の先端に果実受枠取り付け金具８をとりつける。固定金具には（８）誘導袋がつけてあり誘導袋は枝切り鋏を最長に伸ばした時の長さ以上の誘導袋をつけたものである。
【実施例】
【００１０】図１は本発明の主要機能部である誘導袋の取り付け状態と切り鋏と関連を示す斜視図であって、高枝切り鋏６の可動刃１が仕軸５を支点に固定刃側２に可動することにより、果実１３の茎や枝を切り、枠３に連結して取り付けた誘導袋４内に果実が落ちてから誘導され、所定の位置に集積される。【００１１】図２は、支柱に取りつく切り鋏の反対側の操作部を示す傾斜図であり，把手１５は支柱７に固定されていて、レバー９を把握手側に引くことにより、レバーが仕軸１６を支点に可動してロットを引き下げ、可動刃１を作動させることになる。【００１２】図３は、枠は枝切り鋏の支柱７に受枠取り付け金具８で装着されていて金具は支柱を挟み込むように蝶ネジ１０で固定し他のメーカーの枝切り鋏にも簡単に取り付けができて上下の移動もできる、また支柱の傾斜角度に関係なく適度の角度で固定されていて、切り落とされた果実を受け入れ易くしている。【００１３】切り鋏が地上から果実に届く場合と梯子などに登る必要がある場合とでは、誘導袋の長さが異なるので、切り鋏の伸縮支柱で可能にしている、また支柱と誘導袋を持ちかえることにより可能になる。【００１４】誘導袋は、柔軟で弾力性のある素材で作成されているので、誘導袋の末端は開放にしてあるため。、切り落とされた果実の集積場所も敵時きめられる。切り落とされた果実が誘導袋で緩衝され、傷つくことなく収穫することができる。
【図面の簡単な説明】
【００１５】
【図１】本発明の取り付け斜視正面図
【図２】本発明の操作部の斜視側面図
【図３】本発明の果実受枠の斜視図
【符号の説明】
【００１６】１    可動刃
２    固定刃
３    果実受枠ステー
４    誘導袋
５    支軸
６    高枝切り鋏
７    伸縮支柱
８    果実受枠取り付け金具
９    切り取りレバー
１０  蝶ネジ
１１  誘導袋末端開放口
１２  ロット
１３  果実
１４  ベルト通し
１５  把手
１６  支軸
１７  腰、肩掛けベルト
【図１】
2017127298.tif 000003
【図２】
2017127298.tif 000004
【図３】
2017127298.tif 000005
(57)【要約】【課題】洗髪後の全体の被毛を乾燥機能付きペット用衣類を着用させることによって乾燥効果の向上と乾燥時間を早める効果により、被毛の乾燥を行うとともに保湿効果を高め、艶やかさという美麗付与も行う効果を有する。【解決手段】内側に面する部分に複数の突起状送風口を設けた乾燥機能付きペット用衣類を提案するものであり、洗髮後に乾燥機能付きペット用衣類を利用した乾燥効果の向上と乾燥時間を早める効果により、被毛の乾燥を行うとともに保湿効果を高め、艶やかさという美麗付与も行う効果を有する。また、冬場での保温用としても使用することも出来る。【特許請求の範囲】
【請求項１】
本発明は乾燥機能付きペット用衣類によれば、ペットの身体表面全体に（すなわち、被毛及び表皮）に対して乾燥作用に優れ、かつ、便利性、利用簡便性の高い乾燥機能付きペット用衣類を提供できる。また、衣類型であるため携帯性、利用簡便性に優れ、例えば、外出先でも安易に対応ができる。
【発明の詳細な説明】
【技術分野】
【０００１】本発明は、犬、猫等の愛玩動物に供する愛玩動物身体用玩具に関し、特に、乾燥に優れた衣類型の愛玩動物身体用玩具を乾燥機能付きペット用衣類として使用する方法に関する。
【背景技術】
【０００２】近年、犬猫等愛玩動物（以下、「ペット」と言う。）は、番犬としてのみならず、人間の心を癒す目的で家族の一員として人間と共に家屋内で飼育されることが多くなっている。特に一人暮らしの人にとっては話し相手にもなる大切なパートナーとして大きな役割を担っている。ところで、ペットにとって、適度な運動となる散歩は不可欠である。ペットの散歩は規則的に行う必要があるため、雨雪の日にも行われることが多い。しかし、雨雪の日に散歩をさせた後、ペットの身体表皮及び被毛が濡れた状態で、また、泥はねがペットに付着した状態で部屋に入ると、部屋が汚れてしまう。そのため、帰宅の都度、身体全体を洗い流したり拭いたりしなければならない。また、雨雪にて濡れることによって、皮膚病発生の原因となることもある。また、ペットにとって清潔となる入浴は不可欠である。しかし、入浴後の被毛の乾燥には時間が掛かるため飼い主及び愛犬には非常に手間である。特に冬場では短時間での乾燥が望ましい。従来、家庭での乾燥手段は人間用ヘヤードライヤーが一般的であり、ペット用には適していなかった。
【先行技術文献】
【発明の概要】
【特許が解決しようとする課題】
【０００３】これまで、乾燥させる方法としては、ヘヤードライヤーで乾燥させるか、もしくは、自然乾燥させる方法しかなかった。しかし、ヘヤードライヤーだと温風が跳ね返えり一部分の表皮にしか当たらないため、身体の大きさや、被毛の長さに比例して乾燥時間も長時間になる事があり非常に手間がかかった。しかし、着用させることにより温風が全身表皮に還流されるため非常に乾燥時間が短縮される。
【０００４】本発明は、このような問題を鑑みて、乾燥作用に優れ、かつ、便利性、利用簡便性の高い乾燥機能付きペット用衣類を提供することを目的とする。
【解決手段】
【０００５】内側に面する部分に複数の突起状送風口を設けた乾燥機能付きペット用衣類を提案するものであり、洗髪後に乾燥機能付きペット用衣類を利用した乾燥効果の向上と乾燥時間を早める効果により、被毛の乾燥を行うとともに保湿効果を高め、艶やかさという美麗付与も行う効果を有する。
【０００６】以上のように、本発明は乾燥機能付きペット用衣類によれば、ペットの身体表面全体に（すなわち、被毛及び表皮）に対して乾燥作用に優れ、かつ、便利性、利用簡便性の高い乾燥機能付きペット用衣類を提供できる。また、ペット用衣類であるため携帯性、利用簡便性に優れ、例えば、外出先でも安易に対応ができる。
(57)【要約】      （修正有）【課題】フライパンに油をつける際、フライパン全体に満遍なくつけられる様に綿フタを設けたＰａｉｎｔ  Ｏｉｌを提供する。【解決手段】容器（１）の一端に綿フタ（２）を設け、綿フタ（２）に外フタ（３）を設けたことを特徴とする。【選択図】図１
2017127609.tif 000002
【特許請求の範囲】
【請求項１】
容器（１）の一端に綿フタ（２）を設け、綿フタ（２）に外フタ（３）を設けたことを特徴とするＰａｉｎｔ  Ｏｉｌ（ぬる油）。
【発明の詳細な説明】
【技術分野】
【０００１】    本発明は、刷毛のついた油ひきからフライパンに油をつける際、満遍なく行きわたる様に、容器に入った油の一端に綿フタを設けた、ぬるタイプの油Ｐａｉｎｔ  Ｏｉｌに関するものである。
【背景技術】
【０００２】  従来は、油と刷毛は、別々になっていた。
【先行技術文献】
【特許文献】
【０００３】
【特許文献１】
【発明の概要】
【発明が解決しようとする課題】
【０００４】  これは次のような欠点があった。
（イ）      従来、油の入ったボトルを、そのままフライパンに油を入れて刷毛でのばし      て二度手間になっていた。
（ロ）      油の入ったボトルをフライパンに入れる際、たくさんの量が出たりして困る      ことがあった。
（ハ）      フライパンに油を入れ、箸で脱脂綿を挟み油をのばしていたことがあった。
本発明は、以上のような欠点をなくすためにされたものである。
【課題を解決するための手段】
【０００５】  容器（１）の一端に綿フタ（２）を設け、綿フタ（２）に外フタ（３）を設ける。
本発明は、以上の構造によるＰａｉｎｔ  Ｏｉｌ（ぬる油）である。
【発明の効果】
【０００６】  （イ）      少量の油で使用することが、出来るのである。
（ロ）      少量の油での使用のため、ダイエット効果にもなる。
（ハ）      少量の油で、使用量も削減される為、経済的である。
（ニ）      油の入ったボトルから、刷毛で油をのばしていたが、Ｐａｉｎｔ  Ｏｉｌ      だと二度手間にならなくて早く作業が出来るのである。
（ホ）      フライパンに、一定に満遍なく薄く油をぬる事が出来るのである。
【図面の簡単な説明】
【０００７】
【図１】本発明の斜視図である。
【図２】本発明の分解斜視図である。
【図３】刷毛の斜視図である。
【発明を実施するための形態】
【０００８】  以下、発明を実施するための形態について説明する。
容器（１）の上部の一端に、綿フタ（２）を設ける。
綿フタ（２）に、外フタ（３）を設ける。
本発明は、以上のような構造である。
本発明を使用するときは、油の入った容器（１）から外フタ（３）をはずし、そのままフライパンに綿フタ（２）をつけ、満遍なく油をつけられる。また、容器に油が無くなったときは補充して使用する。
卵焼きを焼く際、油補充時に薄くぬる事が出来るようになる。
フライパンに、油を入れ刷毛でのばしていたがこのＰａｉｎｔ  Ｏｉｌを、使用すると素早く作業が出来るようになる優れものである。
【符号の説明】
【０００９】    １  容器
２  綿フタ
３  外フタ
【図１】
2017127609.tif 000003
【図２】
2017127609.tif 000004
【図３】
2017127609.tif 000005